(57)【要約】      （修正有）【課題】排気マフラーのテールパイプの斜めカットされた末端面が、車両後面形状と整合するように調整可能とするテール構造を提供する。【解決手段】車両の排気管１０に接続された内側テールパイプ１１と、末端面１２ｅが斜めカットされ、内側テールパイプ１１に対してその軸周り方向に相対回転可能で、かつこの内側テールパイプ１１よりも後方に突出した状態にして該内側テールパイプ１１の外側に配設される外側テールパイプ１２とを備えて排気マフラーのテール構造１とする。また、外側テールパイプ１２および内側テールパイプ１１の一方には、パイプ軸周り方向に延びる周方向長孔１１ｂを有する第１固定部１１ａを、他方には軸方向長孔１２ｃを有する第２固定部１２ａを形成する。そして上記周方向長孔１１ｂおよび軸方向長孔１２ｃに挿通されるボルト１３と、ナット１４とにより上記固定部１１ａ、１２ａを締め付け固定する。【選択図】図１
0003171805.tif 000002
【実用新案登録請求の範囲】
【請求項１】
車両の排気マフラーを構成する排気管の末端に接続された内側テールパイプと、
末端が斜めにカットされた形状を有し、前記内側テールパイプに対してその軸周り方向に相対回転可能で、かつこの内側テールパイプよりも後方に突出した状態にして該内側テールパイプの外側に配設された外側テールパイプと、
この外側テールパイプおよび前記内側テールパイプの一方において前記軸周り方向に延びる周方向長孔が設けられてなる第１固定部と、
前記外側テールパイプおよび前記内側テールパイプの他方においてボルト孔が設けられてなる第２固定部と、
前記周方向長孔および前記ボルト孔に挿通されるボルトと、該ボルトに螺合するナットとからなり、このナットおよび前記ボルトの締付けにより前記第１固定部と第２固定部とを互いに固定する固定手段とを備えたことを特徴とする排気マフラーのテール構造。
【請求項２】
前記第１固定部が内側テールパイプに設けられ、
前記第２固定部が外側テールパイプに設けられ、
外側テールパイプの管壁外面に前記ナットが接合されていることを特徴とする請求項１記載の排気マフラーのテール構造。
【請求項３】
前記第１固定部が外側テールパイプに設けられ、
前記第２固定部が内側テールパイプに設けられ、
内側テールパイプの管壁内面に前記ナットが接合されていることを特徴とする請求項１記載の排気マフラーのテール構造。
【請求項４】
車両の排気マフラーを構成する排気管の末端に接続された内側テールパイプと、
末端が斜めにカットされた形状を有し、前記内側テールパイプに対してその軸周り方向に相対回転可能で、かつこの内側テールパイプよりも後方に突出した状態にして該内側テールパイプの外側に配設された外側テールパイプと、
この外側テールパイプおよび前記内側テールパイプの一方において前記軸周り方向に延びる周方向長孔が設けられてなる第１固定部と、
前記外側テールパイプおよび前記内側テールパイプの他方において、パイプ軸と平行な方向に延びる軸方向長孔が設けられてなる第２固定部と、
前記周方向長孔および前記軸方向長孔に挿通されるボルトと、該ボルトに螺合するナットとからなり、このナットおよび前記ボルトの締付けにより前記第１固定部と第２固定部とを互いに固定する固定手段とを備えたことを特徴とする排気マフラーのテール構造。
【考案の詳細な説明】
【技術分野】
【０００１】
本考案は車両の排気マフラーのテール構造に関し、特に詳細には、内側テールパイプと外側テールパイプとからなる二重構造を有する排気マフラーのテール構造に関するものである。
【背景技術】
【０００２】
従来、排気マフラーのテール構造として、例えば特許文献１に示されるように、内側テールパイプと外側テールパイプとからなる二重構造を有するものが公知となっている。その種のテール構造において、内側テールパイプは車両の排気マフラーを構成する排気管の末端に接続され、また外側テールパイプは、この内側テールパイプよりも後方に突出した状態にして該内側テールパイプの外側に配設される。なお外側テールパイプは、美観の点から、末端部分が斜めにカットされることが多い。
【０００３】
ところで、４輪車両等の車両においては一般に後部バンパーが取り付けられるので、排気マフラーのテール構造は、後部バンパーに設けられた開口部やＵ字状の切り込み部等の内部に外側テールパイプが位置するようにして配設されることが多い。その場合、車両が特定のもので、したがって後部バンパーの形状も一定になっているならば、外側テールパイプの長さや末端の斜めカット状態は、当然、そのバンパーの形状に適合するように設定される。すなわち、外側テールパイプの長さは、その末端面がバンパー後面とほぼ揃う長さとされ、また末端面の斜めカットについては、バンパー後面の形状（特に斜め形状）と整合するようにカット方向やカット角度が設定される。
【０００４】
しかしここで、車両の所有者が車体後部についてより美観の高いデザインを求めたり、あるいは、従来使用してきた後部バンパーが車両事故で破損したような場合は、そのバンパーに換えて、形状が異なる別のバンパーが取り付けられることもある。すると、その形状の異なるバンパーの後面に対して、外側テールパイプの末端が後方に飛び出し過ぎたり、反対に内側に入り過ぎたりして、車体後部の美観が損なわれることも有り得る。また、このような後部バンパーの交換とは逆に、排気マフラーが交換される場合も、同様の問題が生じることがある。
【０００５】
前記特許文献１には、上述のような問題に対処可能とした排気マフラーのテール構造が記載されている。その排気マフラーのテール構造は、外側テールパイプと内側テールパイプの双方にパイプ軸方向に延びる長孔を設け、それらに通したボルトとナットの締め付けによって両パイプを固定するようにしたものである。このような構造によれば、内側テールパイプに対して外側テールパイプをパイプ軸方向（多くの場合は、ほぼ車両の前後方向）に相対移動させてから固定できるので、外側テールパイプの末端面の前後方向位置がバンパー後面と揃う状態にすることができる。
【先行技術文献】
【特許文献】
【０００６】
【特許文献１】実用新案登録第３１３９５７０号公報
【考案の概要】
【考案が解決しようとする課題】
【０００７】
しかし、上記特許文献１に記載された構造では、外側テールパイプの斜めカットされた末端面が後部バンパー後面の斜め形状と整合しない場合に、それを整合するように調整することは不可能となっている。
【０００８】
本考案は上記の事情に鑑みてなされたものであり、外側テールパイプの斜めカットされた末端面が、バンパー後面等の車両後面の形状と整合するように調整できる排気マフラーのテール構造を提供することを目的とする。
【課題を解決するための手段】
【０００９】
本考案による第１の排気マフラーのテール構造は、
車両の排気マフラーを構成する排気管の末端に接続された内側テールパイプと、
末端が斜めにカットされた形状を有し、前記内側テールパイプに対してその軸周り方向に相対回転可能で、かつこの内側テールパイプよりも後方に突出した状態にして該内側テールパイプの外側に配設された外側テールパイプと、
この外側テールパイプおよび前記内側テールパイプの一方において前記軸周り方向に延びる周方向長孔が設けられてなる第１固定部と、
前記外側テールパイプおよび前記内側テールパイプの他方においてボルト孔が設けられてなる第２固定部と、
前記周方向長孔および前記ボルト孔に挿通されるボルトと、該ボルトに螺合するナットとからなり、このナットおよび前記ボルトの締付けにより前記第１固定部と第２固定部とを互いに固定する固定手段とを備えたことを特徴とするものである。
【００１０】
なお、上記第１の排気マフラーのテール構造においては、前記第１固定部が内側テールパイプに設けられ、前記第２固定部が外側テールパイプに設けられ、そして外側テールパイプの管壁外面に前記ナットが溶接等によって接合されていることが望ましい。
【００１１】
また、上記第１の排気マフラーのテール構造においては、前記第１固定部が外側テールパイプに設けられ、前記第２固定部が内側テールパイプに設けられ、そして内側テールパイプの管壁内面に前記ナットが溶接等によって接合されていることも望ましい。
【００１２】
他方、本考案による第２の排気マフラーのテール構造は、
車両の排気マフラーを構成する排気管の末端に接続された内側テールパイプと、
末端が斜めにカットされた形状を有し、前記内側テールパイプに対してその軸周り方向に相対回転可能で、かつこの内側テールパイプよりも後方に突出した状態にして該内側テールパイプの外側に配設された外側テールパイプと、
この外側テールパイプおよび前記内側テールパイプの一方において前記軸周り方向に延びる周方向長孔が設けられてなる第１固定部と、
前記外側テールパイプおよび前記内側テールパイプの他方において、パイプ軸と平行な方向に延びる軸方向長孔が設けられてなる第２固定部と、
前記周方向長孔および前記軸方向長孔に挿通されるボルトと、該ボルトに螺合するナットとからなり、このナットおよび前記ボルトの締付けにより前記第１固定部と第２固定部とを互いに固定する固定手段とを備えたことを特徴とするものである。
【考案の効果】
【００１３】
本考案による第１の排気マフラーのテール構造によれば、
外側テールパイプおよび内側テールパイプの一方においてパイプ軸周り方向に延びる周方向長孔が設けられてなる第１固定部と、
外側テールパイプおよび内側テールパイプの他方においてボルト孔が設けられてなる第２固定部と、
前記周方向長孔および前記ボルト孔に挿通されるボルトと、該ボルトに螺合するナットとからなり、このナットおよび前記ボルトの締付けにより前記第１固定部と第２固定部とを互いに固定する固定手段とを備えたことにより、外側テールパイプを内側テールパイプに対して周方向に相対移動させた上で固定可能となる。したがってこの構造によれば、外側テールパイプの斜めカットされた末端面が、バンパー後面等の車両後面の形状と整合するように、外側テールパイプの回転位置を調整可能となる。
【００１４】
なお、この第１の排気マフラーのテール構造において特に、前記第１固定部が内側テールパイプに設けられ、前記第２固定部が外側テールパイプに設けられ、そして外側テールパイプの管壁外面に前記ナットが接合されている場合は、ボルトとナットの締付け作業時にナットをスパナ等によって固定しておく必要がなくなるので、作業能率が向上する。
【００１５】
この点は、第１固定部が外側テールパイプに設けられる一方、第２固定部が内側テールパイプに設けられ、内側テールパイプの管壁内面にナットが接合されている場合も同様である。
【００１６】
他方、本考案による第２の排気マフラーのテール構造によれば、
外側テールパイプおよび内側テールパイプの一方においてパイプ軸周り方向に延びる周方向長孔が設けられてなる第１固定部と、
外側テールパイプおよび内側テールパイプの他方において、パイプ軸と平行な方向に延びる軸方向長孔が設けられてなる第２固定部と、
前記周方向長孔および前記軸方向長孔に挿通されるボルトと、該ボルトに螺合するナットとからなり、このナットおよび前記ボルトの締付けにより前記第１固定部と第２固定部とを互いに固定する固定手段とを備えたことにより、この場合も、外側テールパイプを内側テールパイプに対して周方向に相対移動させた上で固定可能となる。したがってこの構造によれば、外側テールパイプの斜めカットされた末端面が、バンパー後面等の車両後面の形状と整合するように、外側テールパイプの回転位置を調整可能となる。
【００１７】
さらにこの第２の排気マフラーのテール構造によれば、第２固定部には、パイプ軸と平行な方向に延びる軸方向長孔が設けられているので、外側テールパイプを内側テールパイプに対してパイプ軸方向に相対移動させた上で固定可能となる。したがってこの構造によれば、外側テールパイプの末端面の前後方向位置を調整することも可能となる。
【００１８】
そして、上述のように外側テールパイプの回転位置を調整可能とする機構は基本的に、内側テールパイプおよび外側テールパイプの一方に周方向長孔を、他方にボルト孔を形成し、そしてそれらに通したボルトとナットにより両パイプを固定するという極めて簡単な構成のものであるので、本考案による排気マフラーのテール構造は、外側テールパイプの回転位置調整を実現するためのコストも極めて低く抑えられるものとなる。
【図面の簡単な説明】
【００１９】
【図１】本考案の第１実施形態による排気マフラーのテール構造を示す側断面図
【図２】図１に示す構造の下面図
【図３】本考案の第２実施形態による排気マフラーのテール構造を示す側断面図
【図４】本考案の第３実施形態による排気マフラーのテール構造を示す側断面図
【図５】図４に示す構造の下面図
【図６】本考案の第４実施形態による排気マフラーのテール構造を示す側断面図
【図７】図６に示す構造の下面図
【図８】図１に示す構造の取付け状態の一例を示す平面図
【図９】図１に示す構造の取付け状態の別の例を示す平面図
【図１０】図１に示す構造の取付け状態のさらに別の例を示す平面図
【考案を実施するための形態】
【００２０】
以下、図面を参照して本考案の実施形態を詳細に説明する。図１と図２はそれぞれ、本考案の第１の実施形態による排気マフラーのテール構造１を示す側断面図、下面図である。図示される通りこの排気マフラーのテール構造１は、車両の排気マフラーを構成する排気管１０の末端に接続された内側テールパイプ１１と、この内側テールパイプ１１に対してその軸周り方向に相対回転可能にして該内側テールパイプ１１の外側に配設された外側テールパイプ１２とを有している。
【００２１】
上記内側テールパイプ１１は、外側テールパイプ１２が被着される比較的大径の円筒部と、排気管１０の末端に例えば溶接等によって接合される比較的小径の円筒部と、それら２つの円筒部をつなぐテーパ部とを有するものである。
【００２２】
一方外側テールパイプ１２は概略円筒状で、その内径が内側テールパイプ１１の外径よりもやや大きい程度に形成されて、内側テールパイプ１１に対して相対的に周方向およびパイプ軸方向に摺動可能となっている。また外側テールパイプ１２は、その末端面１２ｅが斜めにカットされた形状を有し、そして、内側テールパイプ１１よりも後方に突出する長さとされている。
【００２３】
内側テールパイプ１１および外側テールパイプ１２は、例えば双方ともステンレス鋼板から形成され、一例として、内側テールパイプ１１の大径部の長さ（図２のＬ１寸法）は９０ｍｍ、外側テールパイプ１２の全長（図２のＬ２寸法）は１４０ｍｍ、外側テールパイプ１２の外径は１０２ｍｍ程度とされている。また、これも一例として、内側テールパイプ１１のテーパ部のテーパ角（図１のα）は４５°、外側テールパイプ１２の末端面１２ｅの斜めカット角度（図１のβ）は２８°程度に設定されている。
【００２４】
なお外側テールパイプ１２の前端上部には、折り曲げた板状部材からなり貫通孔１２ｆを有する保持部材１２ｇが、例えば溶接等により接合されている。そこで、例えばワイヤの一端を貫通孔１２ｆに通して保持部材１２ｇに係止し、その他端を車両側に係止しておくことにより、万一外側テールパイプ１２が内側テールパイプ１１から脱落したような場合に、外側テールパイプ１２を紛失してしまうことを防止できる。
【００２５】
次に、外側テールパイプ１２を内側テールパイプ１１に固定するための構成について説明する。内側テールパイプ１１の大径部の下部管壁の一部１１ａには、この内側テールパイプ１１のパイプ軸周り方向に延びる周方向長孔１１ｂが形成されている。一方、外側テールパイプ１２の下部管壁の一部１２ａには、パイプ軸と平行な方向に延びる軸方向長孔１２ｃが形成されている。これらの周方向長孔１１ｂおよび軸方向長孔１２ｃは、一例として、長さが４０ｍｍ程度とされる。なお、上記内側テールパイプ１１の一部１１ａは本考案における第１固定部を構成し、外側テールパイプ１２の一部１２ａは本考案における第２固定部を構成している。
【００２６】
外側テールパイプ１２の取付けに際しては、内側テールパイプ１１の外側に外側テールパイプ１２が組み合わされた後、上記軸方向長孔１２ｃおよび周方向長孔１１ｂに下方からボルト１３が通され、内側テールパイプ１１の中に突出したそのボルト１３にナット１４が螺合される。次いでそれらのボルト１３およびナット１４が締め付けられ、それにより内側テールパイプ１１の一部１１ａと外側テールパイプ１２の一部１２ａとが締め付け固定され、両パイプ１１および１２が固定される。
【００２７】
その際、ボルト１３およびナット１４を締め付ける前に、ボルト１３を周方向長孔１１ｂ内で相対移動させながら、外側テールパイプ１２を内側テールパイプ１１に対して周方向に相対移動させることができる。また、ボルト１３を軸方向長孔１２ｃ内で相対移動させながら、外側テールパイプ１２を内側テールパイプ１１に対してパイプ軸方向に相対移動させることもできる。それにより、外側テールパイプ１２の回転位置および前後方向位置を自在に調整可能となり、外側テールパイプ１２の末端面１２ｅを後部バンパーの形状に沿った状態に配置することができる。
【００２８】
以上の点について、図８〜１０を参照して詳しく説明する。これらの図８〜１０は、排気マフラーのテール構造１と後部バンパーＢ１、Ｂ２との平面位置関係を示すものである。まず、図中一点鎖線で示す後部バンパーＢ１が適用されている車両に該構造１を取り付ける場合、外側テールパイプ１２は図８に示す状態とされる。つまりこの場合は、外側テールパイプ１２の最も長い部分が真上に来るように回転位置を調整し、またその末端面１２ｅが後部バンパーＢ１の後面とほぼ整合するように前後位置を調整した上で、外側テールパイプ１２が内側テールパイプ１１に固定される。それにより、車両後部のマフラー周りの美観が優れたものとなる。
【００２９】
しかしここで、後部バンパーＢ１に換えて、図中破線で示す後部バンパーＢ２が適用された場合や、元より後部バンパーＢ２を備えている車両にこのテール構造１が適用される場合においては、後部バンパーＢ２の後面よりも後方（図８において下方）に外側テールパイプ１２が大きく突出し、またその末端面１２ｅが後部バンパーＢ２の斜めの後面と整合していない状態となるので、車両後部のマフラー周りの美観が損なわれる。
【００３０】
そのような場合は、外側テールパイプ１２の回転位置を図９に示す状態に調整すれば、その末端面１２ｅが後部バンパーＢ２の斜めの後面に沿った角度で配置されるので、車両後部のマフラー周りの美観が向上する。さらに、外側テールパイプ１２の前後方向位置を図１０に示す状態に調整すれば、その末端面１２ｅが後部バンパーＢ２の斜めの後面にほぼ整合し、該後面から後方に大きく突出することも無くなるので、車両後部のマフラー周りの美観がさらに良いものとなる。
【００３１】
なお、上述のような後部バンパーＢ１やＢ２が取り付けられず、車両のボディ本体が車両後面を構成しているような場合でも、その車両後面に対して外側テールパイプ１２の回転位置や前後方向位置を調整可能であることは勿論である。
【００３２】
また、本実施形態ではボルト１３として、十字穴を有する丸頭のものが適用されているが、その他のボルト、例えば六角頭のボルト等が適用されてもよいことは勿論である。また、特にその六角頭のボルトが適用されるような場合においては、ボルトを内側テールパイプ１１の内側から通し、ボルト頭をスパナ等により固定しながら、外側テールパイプ１２の外側に突出したボルト先端部にナットを螺合させてもよい。
【００３３】
次に図３を参照して、本考案の第２の実施形態について説明する。なおこの図３において、図１および図２中の要素と同等の要素には同番号を付してあり、それらについての説明は特に必要のない限り省略する（以下、同様）。
【００３４】
この第２実施形態による排気マフラーのテール構造２は基本的に、内側テールパイプ１１に軸方向長孔１１ｃが形成され、外側テールパイプ１２に周方向長孔１２ｂが形成されている点で、第１実施形態による排気マフラーのテール構造１と異なるものである。また、ここではボルトとして、六角頭のボルト２３が適用されている。
【００３５】
以上の構成としても、外側テールパイプ１２は内側テールパイプ１１に対して周方向およびパイプ軸方向に相対移動可能となるので、第１実施形態におけるのと同様にして、外側テールパイプ１２の回転位置や前後方向位置を調整することができる。
【００３６】
なお本実施形態では、周方向長孔１２ｂが形成されている外側テールパイプ１２の一部１２ａが本考案における第１固定部を構成し、軸方向長孔１１ｃが形成されている内側テールパイプ１１の一部１１ａが本考案における第２固定部を構成している。
【００３７】
次に図４および図５を参照して、本発明の第３の実施形態について説明する。この第３実施形態による排気マフラーのテール構造３は基本的に、外側テールパイプ１２には軸方向長孔に代えて丸孔であるボルト孔１２ｄが形成されている点で、第１実施形態による排気マフラーのテール構造１と異なるものである。
【００３８】
以上の構成においては、外側テールパイプ１２を前後方向に位置調整することは不可能であるが、その回転位置を調整可能であることは、既に説明した実施形態と同様である。
【００３９】
なお本実施形態では、周方向長孔１１ｂが形成されている内側テールパイプ１１の一部１１ａが本考案における第１固定部を構成し、ボルト孔１２ｄが形成されている外側テールパイプ１２の一部１２ａが本考案における第２固定部を構成している。
【００４０】
次に図５および図６を参照して、本発明の第４の実施形態について説明する。この第４実施形態による排気マフラーのテール構造４は基本的に、内側テールパイプ１１の一部１１ａに丸孔であるボルト孔１１ｄが形成される一方、外側テールパイプ１２の一部１２ａに周方向長孔１２ｂが形成されている点で、第３実施形態による排気マフラーのテール構造３と異なるものである。
【００４１】
以上の構成においても、外側テールパイプ１２を前後方向に位置調整することは不可能であるが、その回転位置を調整可能であることは、既に説明した実施形態と同様である。
【００４２】
なお本実施形態では、周方向長孔１２ｂが形成されている外側テールパイプ１２の一部１２ａが本考案における第１固定部を構成し、ボルト孔１１ｄが形成されている外側テールパイプ１１の一部１１ａが本考案における第２固定部を構成している。
【００４３】
ここで本実施形態のような基本構成を採用する場合は、内側テールパイプ１１の管壁内面に、ボルト孔１１ｄと整合する状態にしてナット１４を溶接等により接合しておいてもよい。そのようにすれば、ボルト１３とナット１４の締付け作業時にナット１４をスパナ等によって固定しておく必要がなくなるので、作業能率が向上する。同様の構成は、図４および図５に示した基本構成を採用する場合も適用可能である。すなわちその場合は、ボルト１３を内側テールパイプ１１の中から外に向けて通すようにし、ナット１４を外側テールパイプ１２の管壁外面に接合しておけばよい。
【００４４】
以上、本考案が適用された４つの実施形態について説明したが、本考案における内側テールパイプおよび外側テールパイプの形状、寸法あるいは材料、さらにボルトおよびナットの形状等は、上で述べたものに限定される訳ではなく、本考案の技術思想の範囲内で適宜変更可能であることは勿論である。
【符号の説明】
【００４５】
１、２、３、４    排気マフラーのテール構造
１０    排気管
１１    内側テールパイプ
１１ａ  内側テールパイプの一部
１１ｂ  内側テールパイプの周方向長孔
１１ｃ  内側テールパイプの軸方向長孔
１１ｄ  内側テールパイプのボルト孔
１２    外側テールパイプ
１２ａ  外側テールパイプの一部
１２ｂ  外側テールパイプの周方向長孔
１２ｃ  外側テールパイプの軸方向長孔
１２ｄ  外側テールパイプのボルト孔
１３、２３    ボルト
１４    ナット
Ｂ１、Ｂ２    後部バンパー
【図１】
0003171805.tif 000003
【図２】
0003171805.tif 000004
【図３】
0003171805.tif 000005
【図４】
0003171805.tif 000006
【図５】
0003171805.tif 000007
【図６】
0003171805.tif 000008
【図７】
0003171805.tif 000009
【図８】
0003171805.tif 000010
【図９】
0003171805.tif 000011
【図１０】
0003171805.tif 000012